(57)【要約】【課題】揺動量が大きい場合や、ブレードが種々の方向に取り付けられる場合などでもブレードを確実に支持する。【解決手段】互いに異なる方向にブレード３１０を取り付け可能なブレード取り付け部（チャッキングヘッド２１８）を有する往復動工具（レシプロソー１００）は、上記ブレード取り付け部が取り付けられたプランジャ２１６と、上記プランジャ２１６を直線往復動可能に支持するとともに、球面に形成された外周面を有するブッシュ２３１と、上記ブッシュ２３１を揺動自在に受けるブッシュ受け部１１０ａとを備える。【選択図】図１
2020089939.tif 000002
【特許請求の範囲】
【請求項１】
互いに異なる方向にブレードを取り付け可能なブレード取り付け部を有する往復動工具であって、
上記ブレード取り付け部が取り付けられたプランジャと、
上記プランジャを直線往復動可能に支持するとともに、球面に形成された外周面を有するブッシュと、
上記ブッシュを揺動自在に受けるブッシュ受け部と
を備えたことを特徴とする往復動工具。
【請求項２】
請求項１の往復動工具であって、
上記ブッシュにおける上記球面に形成された外周面に、上記プランジャと同軸のオーリング溝が形成され、上記オーリング溝にオーリングが設けられていることを特徴とする往復動工具。
【請求項３】
請求項１から請求項２のうち何れか１項の往復動工具であって、
上記ブレード取り付け部は、互いに異なる方向のブレードを保持可能な複数のスリットを有し、上記複数のスリットは、互いに重なる領域を有するように形成されていることを特徴とする往復動工具。
【発明の詳細な説明】
【技術分野】
【０００１】
本発明は、のこ刃などのブレードを往復動させて対象物の切断等をする往復動工具に関するものである。
【背景技術】
【０００２】
ブレード等を往復動させて対象物の切断等をする往復動工具には、上記ブレード等を一定の直線方向に往復動させるだけでなく、揺動を伴った往復動を可能にしたものがある。そのような往復動工具としては、軸受手段の案内部分を、収容貫通孔内に弾性のある第２軸受素子によって弾性的に支持するようにしたものが知られている（例えば、特許文献１参照。）。
【０００３】
また、ブレード等の取り付け方向を複数通りに変更できるようにしたものがある。そのような往復動工具としては、ブレード等の取り付け部に、ブレード等を互いに異なる方向に取り付け得るように方向を異ならせた複数のスリットを設けたものが知られている（例えば、特許文献２参照。）。
【先行技術文献】
【特許文献】
【０００４】
【特許文献１】特開２００４−１９５９８１号公報
【特許文献２】特表２００６−５１６２２５号公報
【発明の概要】
【発明が解決しようとする課題】
【０００５】
しかしながら、上記のように、軸受手段の案内部分を弾性的に支持する場合、ブレード等の揺動量が大きい場合などでも確実に支持し得るようにすることは困難であった。特に、ブレード等が種々の方向に取り付け可能な場合などには、揺動方向も種々の方向に対応させる必要があり、確実な支持は一層困難となりがちである。
【０００６】
本発明は、上記の点に鑑み、揺動量が大きい場合や、ブレード等が種々の方向に取り付けられる場合などでも確実な支持を容易に可能にすることを目的としている。
【課題を解決するための手段】
【０００７】
上記の目的を達成するため、本発明は、
互いに異なる方向にブレードを取り付け可能なブレード取り付け部を有する往復動工具であって、
上記ブレード取り付け部が取り付けられたプランジャと、
上記プランジャを直線往復動可能に支持するとともに、球面に形成された外周面を有するブッシュと、
上記ブッシュを揺動自在に受けるブッシュ受け部と
を備えたことを特徴とする。
【０００８】
これにより、球面に形成された外周面を有するブッシュによりプランジャが揺動可能に支持されることによって、揺動量が比較的大きい場合や揺動方向が一定でないような場合でも、確実に支持し、摺動抵抗を低減することなどが容易にできる。
【発明の効果】
【０００９】
本発明によれば、揺動量が大きい場合や、ブレード等が種々の方向に取り付けられる場合などでも確実な支持を容易に可能にできる。
【図面の簡単な説明】
【００１０】
【図１】レシプロソーの要部の構成を示す部分断面側面図である。
【図２】軸受部の構成を示す縦断面図である。
【図３】ブレード装着部の構成を示す分解斜視図である。
【図４】ブレード装着部の構成を示す正面図である。
【図５】軸受部の他の例を示す斜視図である。
【発明を実施するための形態】
【００１１】
以下、本発明の実施形態として、往復動工具であるレシプロソーについて、図面に基づいて詳細に説明する。
【００１２】
レシプロソー１００は、図１に示すように、ハウジング１１０と、モータ収容部１２０と、グリップ部１３０と、トリガースイッチ１４０とを有している。また、ハウジング１１０には、ハウジングカバー１５０とガイド部材１６０が取り付けられている。上記モータ収容部１２０にはモータ２１０が収容され、上記モータ２１０の動力は、ピニオンギア２１１、ベベルギア２１２、ピン２１３、リンク２１４、およびピン２１５を介して伝達され、プランジャ２１６を往復動させるようになっている。より詳しくは、プランジャ２１６は、図２に示すように、スライド軸受２３３を介して、ブッシュ２３１に直線往復動可能に支持されている。また、ブッシュ２３１は、球面に形成された球面摺動面２３１ａ（外周面）を有し、これがハウジング１１０のブッシュ受け部１１０ａに揺動自在に受けられるようになっている。上記球面摺動面２３１ａには、プランジャ２１６と同軸のオーリング溝が形成され、オーリング２３２が嵌め込まれている。
【００１３】
プランジャ２１６の先端部には、ピン２１７を介してチャッキングヘッド２１８（ブレード取り付け部）が取り付けられ、このチャッキングヘッド２１８にブレード３１０が取り付けられるようになっている。より詳しくは、図３に示すように、チャッキングヘッド２１８には、互いに直行する方向のスリット２１８ａ、およびスリット２１８ｂが形成され、それぞれの方向にブレード３１０を保持できるようになっている。また、上記スリット２１８ａ・２１８ｂは、互いに重なる領域を有するように形成されている。このような重複領域が形成されていることによって、後述するブレードピン２２２・２２３の干渉等が生じない範囲でチャッキングヘッド２１８の外径等を小さく抑え、したがって、レシプロソー１００の小型化等を容易に図れるようになっている。
【００１４】
チャッキングヘッド２１８には、また、ピン孔２１８ｃ、およびピン孔２１８ｄが形成され、それぞれ、ブレードピン２２２・２２３、およびピンスプリング２２４・２２５が挿入された状態で、外周側がスリーブ２１９によって覆われるようになっている。上記スリーブ２１９は、コイルスプリング２２１の付勢によって、外力が作用しないときには小径部２１９ｂがブレードピン２２２・２２３を押し込んで、スリット２１８ａ・２１８ｂに挿入されたブレード３１０を固定する一方、ユーザが上記付勢力に抗してスリーブ２１９を回転させ、大径部２１９ａがブレードピン２２２・２２３の位置に至ったときには、ブレードピン２２２・２２３がピンスプリング２２４・２２５によってピン孔２１８ｃ・２１８ｄから抜け出す方向に移動し、ブレード３１０を抜き差し可能にされるようになっている。
【００１５】
上記のように、球面摺動面２３１ａが形成されたブッシュ２３１によりプランジャ２１６が揺動可能に支持されることによって、揺動量が比較的大きい場合や揺動方向が一定でないような場合でも、確実に支持し、摺動抵抗を低減することなどが容易にできる。特に、上記のように互いに異なる方向のブレード３１０が取り付け可能にされている場合でも、種々の方向の揺動に対して支持させるようにすることが容易にできる。
【００１６】
なお、上記のようなブッシュ２３１が用いられる場合、オーリング２３２は必ずしも設けられなくてもよいが、オーリング２３２が設けられる場合には、その弾性によって、球面摺動面２３１ａとブッシュ受け部１１０ａとの間に適度な隙間を設けて、プランジャ２１６の傾きに追従させてブッシュ２３１を回転させ、がたつきを抑えることが容易にできる。
【００１７】
また、上記ハウジング１１０として、例えばアルミダイカストを用いる場合などには、強度や耐摩耗性を高めることは必ずしも容易ではない場合もあり得るが、１対のハウジングに皿形の受け部を形成して大きな面積でブッシュ２３１を受ける面積を大きくしたり部品点数を少なく抑えたりすることは容易にできる。
【００１８】
一方、例えば図５に示すように、ハウジング１１０には受け部材取付孔１１０ｂを形成し、これに受け部材２３０を挿入するようにして、受け部材２３０の材質の選択の自由度を高めたりすることが容易にできるようにしてもよい。
【００１９】
また、上記のように一部が重複したスリット２１８ａ・２１８ｂが形成されたチャッキングヘッド２１８を用いることによって装置の小型化を図ることなどが比較的容易になるが、これに限らず、種々のブレード取付構造を適用してもよい。さらに、ブレードの取付方向が固定的にされる場合でも、上記のようなブッシュ２３１を用いることによって揺動可能な支持をできる効果は同様に得られる。
【符号の説明】
【００２０】
１００      レシプロソー
１１０      ハウジング
１１０ａ    ブッシュ受け部
１１０ｂ    受け部材取付孔
１２０      モータ収容部
１３０      グリップ部
１４０      トリガースイッチ
１５０      ハウジングカバー
１６０      ガイド部材
２１０      モータ
２１１      ピニオンギア
２１２      ベベルギア
２１３      ピン
２１４      リンク
２１５      ピン
２１６      プランジャ
２１７      ピン
２１８      チャッキングヘッド
２１８ａ    スリット
２１８ｂ    スリット
２１８ｃ    ピン孔
２１８ｄ    ピン孔
２１９      スリーブ
２１９ａ    大径部
２１９ｂ    小径部
２２１      コイルスプリング
２２２・２２３    ブレードピン
２２４・２２５    ピンスプリング
２３０      受け部材
２３１      ブッシュ
２３１ａ    球面摺動面
２３２      オーリング
２３３      スライド軸受
３１０      ブレード
【図１】
2020089939.tif 000003
【図２】
2020089939.tif 000004
【図３】
2020089939.tif 000005
【図４】
2020089939.tif 000006
【図５】
2020089939.tif 000007